(57)【要約】本発明は、いくつかのサブキャリア間隔構成が共存するときに、キャリア内でリソースを割り当てることに関し、より詳細には、ヌメロロジー間干渉を回避するためにガード帯域を導入するときに、リソースの損失を回避するか、少なくとも低減することに関する。本発明は、端末へのリソースブロックの割当てを第１のサブキャリアとは異なるサブキャリア上で開始することを提案する。それゆえ、本発明は、端末にそのようなリソースブロックを割り当てる方法を提案する。
2019527500.tif 000002
【特許請求の範囲】
【請求項１】
いくつかのサブキャリアを含む少なくとも１つのキャリアを含む電気通信システムにおいて端末にリソースを割り当てる方法であって、
該キャリアは、少なくとも１つのサブキャリア間隔構成Δｆ０と、１つのサブキャリア間隔構成Δｆ１とをサポートし、
Δｆ１＝ｑ．Δｆ０であり、ｑは、正の整数であり、
該方法は、
ａ）前記サブキャリア間隔構成Δｆ１を選択することと、
ｂ）前記サブキャリア間隔構成Δｆ１のサブキャリアを有するリソースブロックの数Ｌを求めることと、
ｃ）或る周波数を有する、サブキャリア間隔構成Δｆ１の前記キャリアの前記サブキャリアの中のサブキャリアを前記端末に割り当てることと、
を含み、
該周波数は、
ｆｒｅｆ＋ｍ．Ｎ．Δｆ１＋ｋ．Ｎ．Δｆ０以上の周波数を有するサブキャリア間隔構成Δｆ１のサブキャリアの周波数の中の最も低い周波数である周波数、すなわち、ｆｓｔａｒｔ以上であり、
ただし、ｆｒｅｆは、前記キャリア内のサブキャリア間隔Δｆ１のために許容可能である前記サブキャリアの中の最も低い周波数であり、
ｋは、１以上、（ｑ−１）以下の整数であり、
Ｎは、リソースブロック内のサブキャリアの数であり、
ｍは、０以上、サブキャリア間隔構成Δｆ１のサブキャリアを有する、前記キャリア内で許容可能な、リソースブロックの最大数未満の整数であり、
また、該周波数は、周波数ｆｒｅｆ＋ｍ．Ｎ．Δｆ１＋（Ｌ．Ｎ−１）．Δｆ１、すなわち、ｆｌａｓｔ以下である、
方法。
【請求項２】
ｍは、少なくともｆｒｅｆ＋ｍ．Ｎ．Δｆ１であり、多くてもｆｒｅｆ＋（ｍ＋１）．Ｎ．Δｆ１−Δｆ１である周波数を有するサブキャリア間隔構成ｆ１の少なくとも１つのサブキャリアを前記端末に割り当てることができるように求められる、
請求項１に記載の方法。
【請求項３】
ｋは、ｆｓｔａｒｔ‐ｆｎｅａｒがＧより大きいように求められ、
Ｇは、厳密に正の閾値であり、ｆｎｅａｒは、Δｆ１とは異なるサブキャリア間隔構成を有するサブキャリアの周波数であり、
該サブキャリアは、Δｆ１とは異なるサブキャリア間隔構成を有し、ｆｒｅｆ＋（ｍ＋１）．Ｎ．Δｆ１より低い周波数を有する、前記キャリア内で割り当てられるサブキャリアの周波数の中の最も高い周波数を有する、
請求項１又は２に記載の方法。
【請求項４】
前記サブキャリア間隔構成Δｆ０は、前記キャリアによってサポートされる前記サブキャリア間隔構成の中の最も小さいサブキャリア間隔構成である、
請求項１〜３のいずれか一項に記載の方法。
【請求項５】
前記数Ｌ、Ｌ≧１は、
ｑ．Ｌ＋ＮＲＢｓｔａｒｔ（０）≦ＮＲＢ（０）を満たし、ただし、
ＮＲＢ（０）は、前記キャリア内で許容可能である前記サブキャリア間隔構成Δｆ０のＮ個のサブキャリアを含むリソースブロックの最大数であり、
ＮＲＢｓｔａｒｔ（０）は、前記キャリア内で許容可能である前記サブキャリア間隔構成Δｆ０のＮ個のサブキャリアを含むリソースブロックの最大数であり、前記リソースブロックは、前記周波数ｆｓｔａｒｔより低いサブキャリア周波数を有する、
請求項１〜４のいずれか一項に記載の方法。
【請求項６】
前記端末に割り当てられた前記サブキャリアに基づいて、前記端末に割当て情報を送信することを更に含む、
請求項５に記載の方法。
【請求項７】
前記端末に割り当てられた前記サブキャリアに基づく前記割当て情報は、リソース指示値ＲＩＶであり、該リソース指示値ＲＩＶは、整数であり、Ｌ及びＮＲＢｓｔａｒｔ（０）の関数である、
請求項６に記載の方法。
【請求項８】
前記ＲＩＶ関数は、Ｌ値及びＮＲＢｓｔａｒｔ（０）値を含む任意の１組の単射関数である、
請求項７に記載の方法。
【請求項９】
前記ＲＩＶは、０からＲＩＶによって取り込まれる最大値までの整数の中の全射関数である、
請求項７又は８に記載の方法。
【請求項１０】
前記ＲＩＶは、以下の式によって規定され、
【数１】
2019527500.tif 000033
ただし、
ｒ１は、ＮＲＢ（０）をｑで割る除算の剰余であり、
【数２】
2019527500.tif 000034
である、
請求項７〜９のいずれか一項に記載の方法。
【請求項１１】
前記ＲＩＶは、以下の式によって規定され、
【数３】
2019527500.tif 000035
ただし、
ｒ１は、ＮＲＢ（０）をｑで割る除算の剰余であり、
【数４】
2019527500.tif 000036
である、
請求項７〜９のいずれか一項に記載の方法。
【請求項１２】
前記ＲＩＶは、以下の式によって規定され、
【数５】
2019527500.tif 000037
ただし、
ｒ１は、ＮＲＢ（０）をｑで割る除算の剰余であり、
【数６】
2019527500.tif 000038
である、
請求項７〜９のいずれか一項に記載の方法。
【請求項１３】
前記ＲＩＶは、以下の式によって規定され、
【数７】
2019527500.tif 000039
ただし、
Ｓｌ＝ＮＲＢ（０）−ｑ＊ｌ＋１
である、
請求項７〜９のいずれか一項に記載の方法。
【請求項１４】
いくつかのサブキャリアを含む少なくとも１つのキャリアを含む電気通信システムにおいて端末にリソースを割り当てるために構成された送信機であって、
該キャリアは、少なくとも１つのサブキャリア間隔構成Δｆ０と、１つのサブキャリア間隔構成Δｆ１とをサポートし、
Δｆ１＝ｑ．Δｆ０であり、ｑは、正の整数であり、
該送信機は、
ａ）前記サブキャリア間隔構成Δｆ１を選択することと、
ｂ）前記サブキャリア間隔構成Δｆ１のサブキャリアを有するリソースブロックの数Ｌを求めることと、
ｃ）或る周波数を有する、サブキャリア間隔構成Δｆ１の前記キャリアの前記サブキャリアの中のサブキャリアを前記端末に割り当てることと、
を実行するように構成され、
該周波数は、
ｆｒｅｆ＋ｍ．Ｎ．Δｆ１＋ｋ．Ｎ．Δｆ０以上の周波数を有するサブキャリア間隔構成Δｆ１のサブキャリアの周波数の中の最も低い周波数である周波数、すなわち、ｆｓｔａｒｔ以上であり、
ただし、ｆｒｅｆは前記キャリア内のサブキャリア間隔Δｆ１のために許容可能である前記サブキャリアの中の最も低い周波数であり、
ｋは、１以上、（ｑ−１）以下の整数であり、
Ｎは、リソースブロック内のサブキャリアの数であり、
ｍは、０以上、サブキャリア間隔構成Δｆ１のサブキャリアを有する、前記キャリア内で許容可能な、リソースブロックの最大数未満の整数であり、
また、該周波数は、周波数ｆｒｅｆ＋ｍ．Ｎ．Δｆ１＋（Ｌ．Ｎ−１）．Δｆ１、すなわち、ｆｌａｓｔ以下である、
送信機。
【請求項１５】
数ＮＲＢｓｔａｒｔ（０）及び前記Ｌの取り得る値の組ごとに、固有リソース指示値ＲＩＶを記憶するメモリユニットを備え、
ＮＲＢｓｔａｒｔ（０）は、前記キャリア内で許容可能である前記サブキャリア間隔構成Δｆ０のＮ個のサブキャリアを含むリソースブロックの最大数であり、該リソースブロックは、前記周波数ｆｓｔａｒｔより低いサブキャリア周波数を有し、
前記送信機は、
前記送信機によって実行されるサブキャリアの割当てに対応するＬ及びＮＲＢｓｔａｒｔ（０）の組に基づいて、ＲＩＶ値を与え、
前記ＲＩＶを前記端末に送信する、
ように更に構成される、
請求項１４に記載の送信機。
【請求項１６】
キャリア内で割り当てられたリソースを使用するように構成された、電気通信システム内の端末であって、
該リソースは、請求項１〜１３のいずれか一項に従って割り当てられており、
制御チャネルを通して割当てリソースブロック情報を受信するように構成される通信モジュールと、
前記割当てリソースブロック情報に従って前記端末に割り当てられる前記サブキャリアを判断するように構成される処理モジュールと、
を備え、
前記処理モジュールは、前記端末に割り当てられるサブキャリア間隔構成Δｆ１の前記サブキャリアを、
ｆｓｔａｒｔ以上の周波数を有し、
ｆｌａｓｔ以下の周波数を有する、ものと判断するように構成される、
端末。
【請求項１７】
前記端末は、数ＮＲＢｓｔａｒｔ（０）及び前記Ｌの取り得る値の組ごとの固有リソース指示値ＲＩＶを記憶するメモリユニットを更に備え、
ＮＲＢｓｔａｒｔ（０）は、前記キャリア内で許容可能である前記第１のサブキャリア間隔構成Δｆ０のＮ個のサブキャリアを含むリソースブロックの最大数であり、該リソースブロックは、前記周波数ｆｓｔａｒｔより低いサブキャリア周波数を有し、
前記処理モジュールは、前記割当てリソースブロック情報内のＲＩＶ値を受信すると、前記メモリユニットを読み取り、前記値Ｌ及びＮＲＢｓｔａｒｔ（０）の１組を求め、ｆｓｔａｒｔ及びｆｌａｓｔを再生するように構成される、
請求項１６に記載の端末。
【請求項１８】
プロセッサによって実行されるときに、請求項１〜１３のいずれか一項に記載の方法を実行するコード命令を含む、
コンピュータープログラム製品。
【発明の詳細な説明】
【技術分野】
【０００１】
本発明は包括的には、キャリアが複数のサブキャリア間隔構成をサポートするときに、このキャリアを含む電気通信システムにおける端末へのリソース割当てに関する。
【背景技術】
【０００２】
本発明は、ＯＦＤＭＡ、又はＳＣ−ＦＤＭＡ、又は他のＯＦＤＭベース波形を使用する等の、マルチキャリア電気通信システムに適用される。いくつかのＯＦＤＭベースシステムによれば、「ヌメロロジー」と呼ばれる場合もある、いくつかのパラメーターセットが同じキャリア上で共存できるようになる。これは、３ＧＰＰの規定によるＮＲ（New Radio：新無線）規格等の５Ｇシステムの場合に特に当てはまる。ヌメロロジーは、サブキャリア間隔構成、サイクリックプレフィックスのサイズ、シンボル数等のパラメーターを含むことができる。したがって、所与の帯域幅を有するキャリア上で、周波数領域において多重化するようにして、異なるサブキャリア間隔構成が共存することができる。
【発明の概要】
【０００３】
異なるサブキャリア間隔構成のこの共存は、そのようなキャリア内のリソース割当てにおいて困難をもたらす。実際には、異なるサブキャリア間隔構成の連続したサブキャリアグループを割り当てるときに、ヌメロロジー間干渉に起因して性能劣化が生じる可能性がある。より具体的には、同じヌメロロジーのサブキャリアは直交性を順守し、すなわち、ｓｉｎｃ形状サブキャリアスペクトルは、他のサブキャリアの位置においてゼロクロスを示す。この直交性は、異なるサブキャリア間隔構成の連続したサブキャリア間では保持されず、それによりヌメロロジー間干渉を引き起こす場合がある。
【０００４】
一般に、シグナリングオーバーヘッドを制限するために、或る特定の粒度Ｎを用いてキャリアが割り当てられる。Ｎ個のサブキャリアのグループは、リソースブロックと呼ばれる。例えば、ＬＴＥ／ＬＴＥ−Ａ／ＮＲでは、Ｎ＝１２である。リソースブロックは、より包括的には、キャリアの最小のスケジューリング単位を指しており、この例では、時間領域内の一定の数のＯＦＤＭシンボルにわたって、周波数領域において１２個のサブキャリアを含む。
【０００５】
ユーザーは、自らの通信要件に合わせて、或る特定の数のリソースブロックを割り当てられる。異なるヌメロロジーを有するユーザーが隣接する周波数帯域においてリソースブロックを割り当てられるとき、ヌメロロジー間干渉が現れる可能性がある。ヌメロロジー間干渉の影響を制限するために、スケジューリングプロセス中に、２つの異なるヌメロロジーの２つのリソースブロック間の周波数領域内にガード帯域を挿入することができる。それは、これらの２つのリソースブロック間に未割当てリソースを残しておくことによる。一方、ガード帯域を挿入することは、キャリア内のリソースの損失につながる。実際には、リソースブロックを異なるヌメロロジーを有するリソースブロックに隣接して割り当てるとき、ガード帯域のサイズを設定できる可能性は、スケジューリングされるリソースブロックのサブキャリア間隔構成によって決まり、それはスペクトル効率に強く影響を及ぼす可能性がある。
【０００６】
例えば、図２Ｂに表示されるように、４Δｆ０＝２Δｆ１＝Δｆ２のΔｆ０、Δｆ１及びΔｆ２によって規定される３つのサブキャリア間隔構成と、それら３つのヌメロロジー内のリソースブロックの割当てとを考える。これらのリソースブロックは、その輪郭の太さによって区別され、サブキャリア間隔構成Δｆ２のリソースブロックの場合に太く、サブキャリア間隔構成Δｆ０のリソースブロックの場合に細く、サブキャリア間隔構成ｆ１のリソースブロックの場合にその中間である。
【０００７】
ヌメロロジーごとに、より具体的には、サブキャリア間隔構成ごとに、周波数領域において、該サブキャリア間隔構成内のサブキャリアの取り得る位置を規定するラスターが存在する。ラスターのピッチは、周波数領域内の同じヌメロロジーのリソースブロックのサイズに対応する。
【０００８】
そのようなキャリア内のスケジューリングは、各ヌメロロジーのラスターを考慮に入れて行われ、実際には、規定されたヌメロロジーの各リソースブロックは、同じヌメロロジーラスターのソケットを満たす。
【０００９】
リソースブロックを自らのラスター上に位置合わせして割り当てるので、ガード帯域（図２Ｂ内に斜線エリアによって表される）は、少なくとも、ガード帯域の両側にあるリソースブロックのうちの一方のサイズである。それゆえ、ガード帯域を挿入するとき、特に、ガード帯域の両側にあるリソースブロックの２つの異なるサブキャリア間隔構成がいずれも高いときに、過度のリソースの無駄につながる可能性がある。
【００１０】
本発明は、この状況を改善することを目的とする。
【００１１】
そのために、本発明は、いくつかのサブキャリアを含む少なくとも１つのキャリアを含む電気通信システムにおいて端末にリソースを割り当てる方法であって、このキャリアは少なくとも１つのサブキャリア間隔構成Δｆ０と、１つのサブキャリア間隔構成Δｆ１とをサポートし、Δｆ１＝ｑ．Δｆ０であり、ｑは正の整数であり、該方法は、
ａ）サブキャリア間隔構成Δｆ１を選択することと、
ｂ）上記サブキャリア間隔構成Δｆ１のサブキャリアを有するリソースブロックの数Ｌを求めることと、
ｃ）或る周波数を有する、キャリアのサブキャリア間隔構成Δｆ１のサブキャリアの中のサブキャリアを上記端末に割り当てることと、
を含み、該周波数は、
ｆｒｅｆ＋ｍ．Ｎ．Δｆ１＋ｋ．Ｎ．Δｆ０以上の周波数を有するサブキャリア間隔構成Δｆ１を有するサブキャリアの周波数の中の最も低い周波数である周波数、すなわち、ｆｓｔａｒｔ以上であり、
ただし、ｆｒｅｆはキャリア内のサブキャリア間隔Δｆ１のために許容可能であるサブキャリアの中の最も低い周波数であり、
ｋは１以上、（ｑ−１）以下の整数であり、
Ｎは、リソースブロック内のサブキャリアの数であり、
ｍは、０以上、サブキャリア間隔構成Δｆ１のサブキャリアを有する、キャリア内で許容可能な、リソースブロックの最大数未満の整数であり、
また、該周波数は、周波数ｆｒｅｆ＋ｍ．Ｎ．Δｆ１＋（Ｌ．Ｎ−１）．Δｆ１、すなわち、ｆｌａｓｔ以下である方法に関する。
【００１２】
本発明は、いくつかのサブキャリア間隔構成をサポートするキャリア内のリソース割当ての範囲内で、リソースブロックのいくつかのサブキャリアのみを端末に割り当てることができるようにする。より具体的には、リソースブロックのＮ個のサブキャリアの中の、第ｎ以降のサブキャリアのみを端末に割り当てる。これにより、サブキャリア間隔構成Δｆ１のリソースブロックの第１のサブキャリアを割り当てないことによって、異なるサブキャリア間隔構成のリソースの２つの割当て間にガード帯域を規定できるようにする。より具体的には、特定のサブキャリア間隔構成のリソースブロックを、自らのラスター上に位置合わせして端末に割り当てるとき、ヌメロロジー間干渉を回避するために、周波数に関して先行するリソースが異なるサブキャリア間隔構成において割り当てられるときに、ガード帯域が実現される。その方法によれば、端末に割り当てられる第１のサブキャリアを、割り当てられた第１のサブキャリアが属する同じサブキャリア間隔構成のリソースブロックの第１のサブキャリアとは異なるようにすることができる。すなわち、このリソースブロックの第１のサブキャリアは端末に割り当てられない。これらの第１のサブキャリアを空けておくことによって、これはガード帯域のサイズに関して或る柔軟性を与えることができ、それにより、周波数リソースの適切なわずかな量のみを空けておきながら、ヌメロロジー間干渉を低減できるようにする。実際には、本発明は、Ｎ＊Δｆ１の粒度とは対照的に、Ｎ＊Δｆ０の粒度でガード帯域のサイズを設定できるようにし、それにより、より良好なスペクトル効率を有することができるようにする。また、本発明は、ｍｉｎ（Ｎ＊Δｆ１，Ｎ＊Δｆ２）の粒度とは対照的に、Ｎ＊Δｆ０の粒度でガード帯域のサイズを設定できるようにし、それにより、より良好なスペクトル効率を有することができるようにする。ただし、サブキャリア間隔Δｆ１及びΔｆ２を使用するユーザー間でΔｆ０＜ｍｉｎ（Δｆ１，Δｆ２）である。サブキャリア間隔構成Δｆ０は、リソース割当てのために実効的に使用されても、使用されなくてもよい。例えば、Δｆ０は、Δｆ１及びΔｆ２より小さい場合があるか、又はそのキャリア上のリソース割当てのためにサポートされる最も小さいサブキャリア間隔構成の場合がある。例えば、Δｆ０は、キャリア上で使用されない場合であっても、その電気通信システムにおいて規定される最も小さいサブキャリア間隔構成とすることができる。
【００１３】
本発明は、端末に割り当てられる第１のリソースブロックの第１のサブキャリアを空けておくことによって、連続したリソースブロックを同じ端末に割り当てることを、以前の隣接する周波数領域割当てに関してガード帯域を規定することと整合させる。連続したリソースブロックの特定の数Ｌを同じ端末に割り当てるそのような割当て方式は、端末に割り当てられる第１のリソースブロック内の空いていない第１のサブキャリアの位置と、割り当てられるリソースブロックの数Ｌとを指定することによって行われる。この方法に従って端末に割り当てられる第１のリソースブロックのみでは、この方法を通して割り当てられるサブキャリアの数に関して完全ではない。
【００１４】
本発明において、リソースブロックは、仮想リソースブロック又は物理リソースブロックを同様に指している。また、リソースブロックは、いくつかのリソースブロックを含むリソースブロックグループ等の任意の他のリソース割当て単位、又は任意の所定の数のサブキャリアからなる１つのグループも指している。
【００１５】
本発明の一態様によれば、整数ｍは、少なくともｆｒｅｆ＋ｍ．Ｎ．Δｆ１であり、多くてもｆｒｅｆ＋（ｍ＋１）．Ｎ．Δｆ１−Δｆ１である周波数を有するサブキャリア間隔構成Δｆ１の少なくとも１つのサブキャリアを端末に割り当てることができるように求められる。これは、Δｆ１より小さいサブキャリア間隔構成のリソースブロックが割り当てられるときに、サブキャリア間隔構成Δｆ１の無用な数の未割当てサブキャリアを残すのを回避できるようにする。実際には、本発明によれば、これらの小さいリソースブロックと、サブキャリア間隔構成Δｆ１の後続のリソースブロックとの間で、サブキャリア間隔構成Δｆ１のサブキャリアを割り当てることができる。それゆえ、これは、スペクトル効率を最大化できるようにする。
【００１６】
本発明の一態様によれば、整数ｋはｆｓｔａｒｔ‐ｆｎｅａｒがＧより大きいように求められ、Ｇは厳密に正の閾値であり、ｆｎｅａｒはΔｆ１とは異なるサブキャリア間隔構成のサブキャリアの周波数であり、該サブキャリアは、Δｆ１とは異なるサブキャリア間隔構成を有し、ｆｒｅｆ＋（ｍ＋１）．Ｎ．Δｆ１より低い周波数を有する、キャリア内で割り当てられるサブキャリアの周波数の中の最も高い周波数を有する。これは、異なるサブキャリア間隔構成の２つのサブキャリア間の直交性を保持するために、必要なサイズのガード帯域を実現できるようにする。
【００１７】
本発明の一態様によれば、サブキャリア間隔構成Δｆ０は、キャリアによってサポートされるサブキャリア間隔構成の中の最も小さいサブキャリア間隔構成である。これは、そのサイズを極めて柔軟に規定することができる、ガード帯域を実現できるようにする。より具体的には、サブキャリア間隔構成Δｆ０は常に、その間にガード帯域が挿入される２つのサブキャリアのいずれかのサブキャリア間隔構成に少なくとも等しいか、又はそれより小さくなる。それゆえ、ガード帯域のサイズは、スペクトル効率を最大化するほど十分に短く設定することができる。
【００１８】
また、キャリアによってサポートされる仮想サブキャリア間隔構成を規定することができ、それはΔｆ０’＝Δｆ０／Ｎに等しい。それゆえ、ガード帯域の実施態様の粒度は、Ｎ＊Δｆ０’＝Δｆ０であり、それは、サブキャリア間隔構成Δｆ０の１つのサブキャリアのガード帯域のサイズを設定する粒度を提示する。選択されるΔｆ０が小さいほど、ガード帯域のサイズを正確に選択することができるが、シグナリングオーバーヘッドが大きくなることを犠牲にする。
【００１９】
本発明の一態様によれば、数Ｌ、Ｌ≧１は、以下を満たす。
ｑ．Ｌ＋ＮＲＢｓｔａｒｔ（０）≦ＮＲＢ（０）
ただし、
ＮＲＢ（０）は、上記第１のサブキャリア間隔構成Δｆ０のＮ個のサブキャリアを含むリソースブロックの期間中に上記キャリア内で許容可能であるサブキャリア間隔構成Δｆ０のＮ個のサブキャリアを含むリソースブロックの最大数であり、
ＮＲＢｓｔａｒｔ（０）は、上記サブキャリア間隔構成Δｆ０のＮ個のサブキャリアを含むリソースブロックの期間中に上記キャリア内で許容可能であるサブキャリア間隔構成Δｆ０のＮ個のサブキャリアを含むリソースブロックの最大数であり、該リソースブロックは、上記周波数ｆｓｔａｒｔより低い自らの全てのサブキャリア周波数を有する。
【００２０】
また、ｆｒｅｆがキャリア内のサブキャリア間隔Δｆ０のために許容可能であるサブキャリアの中の最も低い周波数である場合には、
【数１】
2019527500.tif 000003
である。実際には、各ヌメロロジーの基準周波数（ｆｒｅｆ（ｉ））は異なることができ、これらの事例は本発明によって包含される。
【００２１】
代替的には、サイズＬは、ガード帯域を含むリソースブロックを除外すると理解することができる。それゆえ、この特定の事例において、Ｌ値は値０で開始する。Ｌを、ガード帯域を含むリソースブロックを含むと見なす現在の説明に基づいて、Ｌがガード帯域を含むリソースブロックを除外すると理解されるときに同等の式を推定することは容易である。
【００２２】
本発明の一態様によれば、その方法は、端末に割り当てられたサブキャリアに基づいて、端末に割当て情報を送信するステップを更に含む。これにより、端末に、サブキャリア間隔構成Δｆ１のどのサブキャリアが割り当てられるかを通知できるようになる。
【００２３】
本発明の一態様によれば、端末に送信される割当て情報は、リソース指示値ＲＩＶであり、該リソース指示値ＲＩＶは整数であり、Ｌ及びＮＲＢｓｔａｒｔ（０）の関数である。本発明に従って達成される同じサブキャリア間隔構成の連続したサブキャリアの割当てごとに、ｆｓｔａｒｔの場合、１つのＮＲＢｓｔａｒｔ（０）が存在し、ｆｌａｓｔの場合、ｆｓｔａｒｔに応じて、Ｌが存在するので、１組ＮＲＢｓｔａｒｔ（０）及びＬ、それゆえ、少なくともＲＩＶ値が存在する。
【００２４】
ＮＲＢｓｔａｒｔ（０）及びＬの各組に基づいて、端末はｆｓｔａｒｔ及びｆｌａｓｔを再生することができ、ｆｓｔａｒｔは、上記で規定されたサブキャリア間隔構成Δｆ０のＮ個のサブキャリアを含むＮＲＢｓｔａｒｔ（０）個のリソースブロックのサブキャリアの中の最も高い周波数で許容可能なサブキャリア間隔構成Δｆ０の場合のサブキャリアの周波数より高い周波数を有するサブキャリア間隔構成Δｆ１の場合のサブキャリアの周波数の中の最も低い周波数であり、ｆｌａｓｔは、周波数ｆｒｅｆ＋ｍ．Ｎ．Δｆ１＋（Ｌ．Ｎ−１）．Δｆ１であり、ただし、ｍはｆｓｔａｒｔで再生することができる。
【数２】
2019527500.tif 000004
【００２５】
本発明の一態様によれば、ＲＩＶ関数は、Ｌ値及びＮＲＢｓｔａｒｔ（０）値を含む任意の１組の単射関数である。これにより、自らに割り当てられたリソースに従ってＲＩＶ値を受信する端末が、固有の１組ＮＲＢｓｔａｒｔ（０）及びＬを復号できるようになる。
【００２６】
本発明の一態様によれば、ＲＩＶは０からＲＩＶによって取り込まれる最大値までの整数の中の全射関数である。これは、本発明による異なる取り得るリソース割当て、すなわち、ｑＬ＋ＮＲＢｓｔａｒｔ（０）≦ＮＲＢ（０）であるＬ及びＮＲＢｓｔａｒｔ（０）の値の異なる対を通してＲＩＶによって取り込まれる最大値が、取り得る最小値であるのを確実にする。これにより、本発明に従って達成される全ての取り得るリソース割当てをシグナリングするために必要なビット数を低減することができるようになる。
【００２７】
本発明の一態様によれば、ＲＩＶは、以下の式によって規定され、
【数３】
2019527500.tif 000005
ただし、
ｒ１は、ＮＲＢ（０）をｑで割る除算の剰余であり、
【数４】
2019527500.tif 000006
である。
【００２８】
これにより、送信機が、本発明に従って達成されるリソース割当てごとに少なくともＲＩＶ値を符号化できるようになり、この符号化は、複雑ではない。
【００２９】
さらに、これにより、自らに割り当てられたリソースに従ってＲＩＶ値を受信する端末が、値ＮＲＢｓｔａｒｔ（０）及びＬの１組を復号できるようになる。
【００３０】
実際には、端末は、自らに割り当てられるリソースブロックの、そして、別のヌメロロジーＮＲＢ（０）に関するキャリア帯域のサブキャリア間隔構成に関連するデータ（例えば、Δｆ１及びΔｆ０、Δｆ１及びｑ又はΔｆ０及びｑ）を取得する。端末がＲＩＶ値を更に受信するとき、端末は、その際、以下のように、１組ＮＲＢｓｔａｒｔ（０）及びＬを復号することができる：
ＮＲＢ（０）及びｑに基づいて、端末は以下を計算する：
【数５】
2019527500.tif 000007
ただし、
【数６】
2019527500.tif 000008
は床関数であり、
【数７】
2019527500.tif 000009
は天井関数である。
ｒ１＝ｒｅｍ（ＮＲＢ（０），ｑ）
ただし、ｒｅｍ（Ｙ；Ｘ）は、ＹをＸで割る除算の剰余である。
そのＲＩＶ値の受信に基づいて、端末は以下を計算する：
【数８】
2019527500.tif 000010
【００３１】
端末によって復号された値ＮＲＢｓｔａｒｔ（０）及びＬに基づいて、端末は、上記で示されたように、固有のｆｓｔａｒｔ及び固有のｆｌａｓｔを求めることができる。
【００３２】
本発明の一態様によれば、ＲＩＶは、以下の式によって規定され、
【数９】
2019527500.tif 000011
ただし、
ｒ１は、ＮＲＢ（０）をｑで割る除算の剰余であり、
【数１０】
2019527500.tif 000012
である。
【００３３】
これにより、送信機が、本発明に従って達成されるリソース割当てごとに少なくともＲＩＶ値を符号化できるようになり、この符号化は、複雑ではない。
【００３４】
さらに、これにより、自らに割り当てられたリソースに従ってＲＩＶ値を受信する端末が、値ＮＲＢｓｔａｒｔ（０）及びＬの１組を復号できるようになる。
【００３５】
実際には、端末は、自らに割り当てられるリソースブロックの、そして、別のヌメロロジーＮＲＢ（０）に関するキャリア帯域のサブキャリア間隔構成に関連するデータ（例えば、Δｆ１及びΔｆ０、Δｆ１及びｑ又はΔｆ０及びｑ）を取得する。端末がＲＩＶ値を更に受信するとき、端末は、その際、以下のように、１組ＮＲＢｓｔａｒｔ（０）及びＬを復号することができる：
ＮＲＢ（０）及びｑに基づいて、端末は以下を計算する：
【数１１】
2019527500.tif 000013
ただし、
【数１２】
2019527500.tif 000014
は床関数であり、
【数１３】
2019527500.tif 000015
は天井関数である。
ｒ１＝ｒｅｍ（ＮＲＢ（０），ｑ）
ただし、ｒｅｍ（Ｙ；Ｘ）は、ＹをＸで割る除算の剰余である。
【数１４】
2019527500.tif 000016
そのＲＩＶ値の受信に基づいて、端末は以下を計算する：
【数１５】
2019527500.tif 000017
【００３６】
端末によって復号された値ＮＲＢｓｔａｒｔ（０）及びＬに基づいて、端末は、上記で示されたように、固有のｆｓｔａｒｔ及び固有のｆｌａｓｔを求めることができる。
【００３７】
本発明の一態様によれば、ＲＩＶは、以下の式によって規定され、
【数１６】
2019527500.tif 000018
ただし、
ｒ１は、ＮＲＢ（０）をｑで割る除算の剰余であり、
【数１７】
2019527500.tif 000019
である。
【００３８】
これにより、送信機が、本発明に従って達成されるリソース割当てごとに少なくともＲＩＶ値を符号化できるようになり、この符号化は、複雑ではない。
【００３９】
さらに、これにより、自らに割り当てられたリソースに従ってＲＩＶ値を受信する端末が、値ＮＲＢｓｔａｒｔ（０）及びＬの１組を復号できるようになる。
【００４０】
実際には、端末は、自らに割り当てられるリソースブロックの、そして、別のヌメロロジーＮＲＢ（０）に関するキャリア帯域のサブキャリア間隔構成に関連するデータ（例えば、Δｆ１及びΔｆ０、Δｆ１及びｑ又はΔｆ０及びｑ）を取得する。端末がＲＩＶ値を更に受信するとき、端末は、その際、以下のように、１組ＮＲＢｓｔａｒｔ（０）及びＬを復号することができる：
ＮＲＢ（０）及びｑに基づいて、端末は以下を計算する：
【数１８】
2019527500.tif 000020
、及び、
ｒ１＝ｒｅｍ（ＮＲＢ（０），ｑ）
ただし、ｒｅｍ（Ｙ；Ｘ）は、ＹをＸで割る除算の剰余である。
そのＲＩＶ値の受信に基づいて、端末は以下を計算する：
【数１９】
2019527500.tif 000021
【００４１】
端末によって復号された値ＮＲＢｓｔａｒｔ（０）及びＬに基づいて、端末は、上記で示されたように、固有のｆｓｔａｒｔ及び固有のｆｌａｓｔを求めることができる。
【００４２】
本発明の一態様によれば、ＲＩＶは、以下の式によって規定され、
【数２０】
2019527500.tif 000022
ただし、
Ｓｌ＝ＮＲＢ（０）−ｑ＊ｌ＋１である。
【００４３】
これにより、送信機が、本発明に従って達成されるリソース割当てごとにＲＩＶ値を符号化できるようになり、この符号化は、以前に規定されたＲＩＶの符号化より複雑ではなく、その代わりに、ＲＩＶ値を受信する端末による１組ＮＲＢｓｔａｒｔ（０）及びＬの復号は、以前のＲＩＶの復号より複雑である。
【００４４】
実際には、端末は、自らに割り当てられるリソースブロックの、そして、別のヌメロロジーＮＲＢ（０）に関するキャリア帯域のサブキャリア間隔構成に関連するデータ（例えば、Δｆ１及びΔｆ０、Δｆ１及びｑ又はΔｆ０及びｑ）を取得する。端末がＲＩＶ値を更に受信するとき、端末は、その際、以下のように、１組ＮＲＢｓｔａｒｔ（０）及びＬを復号することができる。
ＮＲＢ（０）、ｑ及び端末が受信したＲＩＶ値に基づいて、端末は以下のように値Ｍを計算する。
【数２１】
2019527500.tif 000023
その後、端末は、以下のように、ＮＲＢｓｔａｒｔ（０）及びＬを計算する。
【数２２】
2019527500.tif 000024
【００４５】
端末によって復号された値ＮＲＢｓｔａｒｔ（０）及びＬに基づいて、端末は、上記で示されたように、固有のｆｓｔａｒｔ及び固有のｆｌａｓｔを求めることができる。
【００４６】
上記で言及されたのと同様に、端末がＲＩＶを復号するたびに、端末は和
【数２３】
2019527500.tif 000025
を計算するか、又はその和を少なくともルックアップテーブルからロードする必要があり、それは、以前のＲＩＶより多くの、復号のための計算リソース及び／又はメモリ記憶域を必要とするので、このＲＩＶの復号はより複雑である。
【００４７】
本発明の一態様によれば、キャリア、リソース割当て及び端末は、５Ｇプロトコルであるワイヤレス通信プロトコルに従って規定される。
【００４８】
本発明の一態様によれば、キャリア、リソース割当て及び端末は、３ＧＰＰ規格による新無線規格であるワイヤレス通信プロトコルに従って規定される。
【００４９】
本発明の第２の態様は、いくつかのサブキャリアを含む少なくとも１つのキャリアを含む電気通信システムにおいて端末にリソースを割り当てるように構成される送信機であって、上記キャリアは少なくとも１つのサブキャリア間隔構成Δｆ０と、１つのサブキャリア間隔構成Δｆ１とをサポートし、Δｆ１＝ｑ．Δｆ０であり、ｑは正の整数であり、該送信機は、
ａ）サブキャリア間隔構成Δｆ１を選択することと、
ｂ）上記サブキャリア間隔構成Δｆ１のサブキャリアを有するリソースブロックの数Ｌを求めることと、
ｃ）或る周波数を有する、サブキャリア間隔構成Δｆ１のキャリアのサブキャリアの中のサブキャリアを上記端末に割り当てることと、
を実行するように構成され、該周波数は、
ｆｒｅｆ＋ｍ．Ｎ．Δｆ１＋ｋ．Ｎ．Δｆ０以上の周波数を有するサブキャリア間隔構成Δｆ１のサブキャリアの周波数の中の最も低い周波数である周波数、すなわち、ｆｓｔａｒｔ以上であり、
ただし、ｆｒｅｆはキャリア内のサブキャリア間隔Δｆ１のために許容可能であるサブキャリアの中の最も低い周波数であり、
ｋは１以上、（ｑ−１）以下の整数であり、
Ｎは、リソースブロック内のサブキャリアの数であり、
ｍは、０以上、サブキャリア間隔構成Δｆ１のサブキャリアを有する、キャリア内で許容可能な、リソースブロックの最大数未満の整数であり、
また、該周波数は、周波数ｆｒｅｆ＋ｍ．Ｎ．Δｆ１＋（Ｌ．Ｎ−１）．Δｆ１、すなわち、ｆｌａｓｔ以下である送信機に関する。
【００５０】
本発明の一態様によれば、送信機は、数ＮＲＢｓｔａｒｔ（０）及び上記Ｌの取り得る値の組ごとに、固有リソース指示値ＲＩＶを記憶するメモリユニットを備え、
ＮＲＢｓｔａｒｔ（０）は上記サブキャリア間隔構成Δｆ０のＮ個のサブキャリアを含むリソースブロックの期間中に上記キャリア内で許容可能であるサブキャリア間隔構成Δｆ０のＮ個のサブキャリアを含むリソースブロックの最大数であり、該リソースブロックは上記周波数ｆｓｔａｒｔより低い自らの全てのサブキャリア周波数を有する。
【００５１】
より詳細には、送信機は、
送信機によって実行されるサブキャリアの割当てに対応するＬ及びＮＲＢｓｔａｒｔ（０）の１組に基づいて、ＲＩＶ値を与え、
ＲＩＶを端末に送信する、
ように更に構成される。
【００５２】
例えば、送信機のプロセッサは、自らに割り当てられるサブキャリアのサブキャリア間隔構成Δｆ０に対応する、そして、それに代わって対応するＲＩＶ値を与える、別のヌメロロジーＮＲＢ（０）に関するキャリア帯域に対応するルックアップテーブル内に数ＮＲＢｓｔａｒｔ（０）及びＬの値を入力することができる。
【００５３】
メモリユニットが、数ＮＲＢｓｔａｒｔ（０）及びＬの取り得る値の組ごとに、そのメモリ内に固有リソース指示値ＲＩＶを有する本発明の態様の一代替形態によれば、プロセッサは、上記で言及された式を適用することによってＲＩＶを計算することができる。
【００５４】
本発明の第３の態様は、キャリア内で割り当てられたリソースを使用するように構成される、電気通信システム内の端末であって、上記リソースは請求項１〜１３のいずれか一項に従って割り当てられており、
制御チャネルを通してリソース割当て情報を受信するように構成される通信モジュールと、
リソース割当て情報に従って該端末に割り当てられるサブキャリアを判断するように構成される処理モジュールと、
を備え、
処理モジュールは、該端末に割り当てられるサブキャリア間隔構成Δｆ１の上記サブキャリアを、
ｆｓｔａｒｔ以上の周波数を有し、
ｆｌａｓｔ以下の周波数を有する、
ものと判断するように構成される、端末に関する。
【００５５】
一代替形態によれば、端末は、数ＮＲＢｓｔａｒｔ（０）及び上記Ｌの取り得る値の組ごとに、固有リソース指示値ＲＩＶを記憶するメモリユニットを更に備え、
ＮＲＢｓｔａｒｔ（０）は、上記サブキャリア間隔構成Δｆ０のＮ個のサブキャリアを含むリソースブロックの期間中に上記キャリア内で許容可能である第１のサブキャリア間隔構成Δｆ０のＮ個のサブキャリアを含むリソースブロックの最大数であり、該リソースブロックは、上記周波数ｆｓｔａｒｔより低い自らの全てのサブキャリア周波数を有し、より詳細には、処理モジュールは、上記リソース割当て情報内のＲＩＶ値を受信すると、上記メモリユニットを読み取り、値Ｌ及びＮＲＢｓｔａｒｔ（０）の１組を求め、ｆｓｔａｒｔ及びｆｌａｓｔを再生するように構成される。
【００５６】
例えば、端末の処理モジュールは、受信されたＲＩＶ値を、自らに割り当てられるサブキャリアのサブキャリア間隔構成Δｆ０に対応する、そして、それに代わって数ＮＲＢｓｔａｒｔ（０）及びＬ値の対応する１組を与える、別のヌメロロジーＮＲＢ（０）に関するキャリア帯域に対応するルックアップテーブル内に入力する。
【００５７】
本発明によれば、端末は、全てのタイプの端末、例えば、モバイルフォン、車両通信システム及び全ての種類の被接続デバイス、より一般的には、全ての終端システムを含む。
【００５８】
メモリユニットが、数ＮＲＢｓｔａｒｔ（０）及びＬの取り得る値の組ごとに、そのメモリ内に固有リソース指示値ＲＩＶを有する本発明の態様の一代替形態によれば、処理モジュールは、特定のＲＩＶに対応する数ＮＲＢｓｔａｒｔ（０）及び数Ｌを計算できるようにする上記で言及された計算ステップを適用することによって、数ＮＲＢｓｔａｒｔ（０）及びＬ値の１組を計算することができる。
【００５９】
例えば、端末がＲＩＶを受信し、ＮＲＢ（０）及びｑの知識及び端末が受信したＲＩＶ値に基づいて、処理モジュールが、以下のように、値Ｍを計算する。
【数２４】
2019527500.tif 000026
【００６０】
その後、処理モジュールは、以下のように、ＮＲＢｓｔａｒｔ（０）及びＬを計算する。
【数２５】
2019527500.tif 000027
【００６１】
端末によって復号された値ＮＲＢｓｔａｒｔ（０）及びＬに基づいて、端末は、上記で示されたように、固有のｆｓｔａｒｔ及び固有のｆｌａｓｔを求めることができる。
【００６２】
本発明の第４の態様は、プロセッサによって実行されるとき、上記で説明された方法を実行するコード命令を含む、コンピュータープログラム製品に関する。
【００６３】
本発明は、添付図面の図に、限定としてではなく例として示される。添付図面において、同様の参照符号は同様の要素を参照する。
【図面の簡単な説明】
【００６４】
【図１】送信機と、リソースが割り当てられる端末とを示す図である。
【図２Ａ】１つのヌメロロジーのみが規定されるキャリアにおける通常のリソースブロックスケジューリングの概略図である。
【図２Ｂ】いくつかのサブキャリア間隔構成が普通に共存するキャリア内の通常のリソースブロックスケジューリングの概略図である。
【図２Ｃ】いくつかのサブキャリア間隔構成が共存するキャリア内の本発明によるリソースブロックスケジューリングの概略図である。
【図３Ａ】リソース割当て情報を送信するステップを表すフローチャートである。
【図３Ｂ】リソース割当て情報を端末によって受信するステップと、この情報を復号して、端末に割り当てられるリソースブロックを規定するステップとを表すフローチャートである。
【発明を実施するための形態】
【００６５】
図１を参照すると、送信機１、例えば、ＮＲ等のＯＦＤＭベース５Ｇシステムにおける基地局ＢＳと、送信機のセル内にある端末とが示される。端末２、例えば、ＮＲ等のＯＦＤＭベース５Ｇシステムにおけるユーザー機器ＵＥは、基地局によってリソースを割り当てられる。
【００６６】
送信機１は、１つの通信モジュール（ＣＯＭ＿ｔｒａｎｓ）３と、１つの処理モジュール（ＰＲＯＣ＿ｔｒａｎｓ）４と、メモリユニット（ＭＥＭＯ＿ｔｒａｎｓ）５とを備える。ＭＥＭＯ＿ｔｒａｎｓ５は、コンピュータープログラムを読み出す不揮発性ユニットと、割当てパラメーターを読み出す揮発性ユニットとを備える。ＰＲＯＣ＿ｔｒａｎｓは、端末に割り当てられるリソースブロックに従って、ＲＩＶ値等のリソース割当て情報を決定するように構成される。ＣＯＭ＿ｔｒａｎｓは、リソース割当て情報を端末に送信するように構成される。
【００６７】
端末は、１つの通信モジュール（ＣＯＭ＿ｔｅｒｍ）６と、１つの処理モジュール（ＰＲＯＣ＿ｔｅｒｍ）７と、メモリユニット（ＭＥＭＯ＿ｔｅｒｍ）８とを備える。ＭＥＭＯ＿ｔｅｒｍ８は、コンピュータープログラムを読み出す不揮発性ユニットと、キャリアのパラメーター及びリソース割当て情報を読み出す揮発性ユニットとを備える。ＰＲＯＣ＿ｔｅｒｍ７は、リソース割当て情報に従って、端末に割り当てられるサブキャリアを決定するように構成される。ＣＯＭ＿ｔｅｒｍ６は、リソース割当て情報を送信機から受信するように構成される。
【００６８】
以下において、キャリア帯域の一部のみ、又はキャリア帯域の所定の部分のみが表される。
【００６９】
図２Ａを参照すると、１つのヌメロロジーのみが規定され、このヌメロロジーからのリソースブロックがスケジューリングされるキャリアの部分が示される。枠は、時間領域内の一定の数のＯＦＤＭシンボルにわたって、周波数領域において１２個のサブキャリアを含むリソースブロックを表す。例えば、ＬＴＥにおいて、キャリアは、１．４ＭＨｚ、３ＭＨｚ、５ＭＨｚ、１０ＭＨｚ、１５ＭＨｚ又は２０ＭＨｚの帯域幅を有することができる。この帯域幅の約９０％が、通信要件のために実効的に使用される。周波数領域では、リソース割当てプロセスにおいて、サブキャリアのグループが端末に割り当てられる。ＬＴＥ／ＬＴＥ−Ａｄｖａｎｃｅｄにおいて、サブキャリアは、それぞれ１２個のサブキャリアからなるリソースブロック（ＲＢ）にグループ分けされる。ユーザーが或る特定の数のリソースブロックを、それゆえ、或る特定の帯域幅を割り当てられるという意味において、リソースブロックは、リソース割当て粒度を規定する。ＬＴＥ／ＬＴＥ−Ａｄｖａｎｃｅｄにおいて、２つの隣接するサブキャリア間のサブキャリア間隔、すなわち、周波数間隔は１５ｋＨｚに固定される。それゆえ、リソースブロックの周波数帯域幅は固定され、キャリア内のリソースブロックの取り得る数はキャリア帯域幅のみに依存する。
【００７０】
ヌメロロジーに、より具体的には、サブキャリア間隔構成にはラスターが対応し、ラスターのソケットは、周波数領域内の同じヌメロロジーのリソースブロックのサイズに対応する。全てのリソースブロックが、このラスター上に位置合わせしてスケジューリングされる。ラスター上に位置合わせされた各潜在リソースブロックは整数を付される。例えば、論理領域において、ＮＲＢ個の仮想リソースブロックがそれぞれ０〜ＮＲＢ−１の番号を付けられる。例えば、ＬＴＥ／ＬＴＥ−Ａにおいて、いくつかの割当て方式が存在し、リソース割当てタイプ２は、コンパクトなフォーマットであり、ダウンリンク転送又はアップリンク転送のために端末に割り当てられる連続した仮想リソースブロックの組を端末に指示する。それゆえ、端末に割り当てられる第１の連続したリソースブロックＲＢｓｔａｒｔの番号ＮＲＢｓｔａｒｔに対応するリソース指示値（ＲＩＶ）と、仮想的に連続して割り当てられるリソースブロックに関する長さＬとが端末に送信される。ＲＩＶは以下によって定義することができる。
【数２６】
2019527500.tif 000028
ただし、ＮＲＢｓｔａｒｔは、ＲＢｓｔａｒｔの位置に対応する番号である。
【００７１】
ＲＩＶ値によって、端末は、自らに割り当てられる第１の仮想リソースブロックＲＢｓｔａｒｔの位置と、端末に割り当てられる仮想的に連続したリソースブロックの数とを復号できるようになる。ＲＢｓｔａｒｔ及びＬが復号されると、端末は、端末に割り当てられたリソースブロックを規定することができる。図２Ａの例では、Ｌは３に等しく、３つのリソースブロックのみが割り当てられ、潜在リソースブロックは、破線の正方形によって表される。
【００７２】
図２Ｂを参照すると、いくつかのサブキャリア間隔構成が共存し、これらの異なるヌメロロジーのうちの３つからのリソースブロックがスケジューリングされるキャリアの部分が示される。これは、ＮＲ（新無線）規格等のＯＦＤＭベース５Ｇシステムにおいて特に可能である。例えば、図２Ｂにおいて、３つのサブキャリア間隔構成が共存し、それらはΔｆ０、Δｆ１及びΔｆ２である。ＢＷが、キャリアの実効的に占有される帯域幅である。キャリア内で許容可能である特定のヌメロロジーのリソースブロックの最大数は、
【数２７】
2019527500.tif 000029
である。或る特定のサブキャリア間隔構成に関して、例えば、帯域エッジにおいて、Ｎ個未満のサブキャリアを含む部分（fractional）ＲＢが許される場合には、１つの拡張（extra）ＲＢが存在できることに留意されたい。数値に関する例として、｛Δｆ０、Δｆ１、Δｆ２｝＝（１５ｋＨｚ、３０ｋＨｚ、６０ｋＨｚ｝であり、リソースブロックあたりＮ＝１２サブキャリアである。枠は周波数領域において１２個のサブキャリアを含むリソースブロックを表す。図２Ｂは、３つの異なるサブキャリア間隔構成におけるリソースブロックのスケジューリングを示す。１つの長方形からなり、細い輪郭を有する枠は、サブキャリア間隔構成Δｆ０のリソースブロックを表し、２つの長方形からなり、中間の輪郭を有する枠は、サブキャリア間隔構成Δｆ１のリソースブロックを表し、４つの長方形からなる、太い輪郭を有する枠は、サブキャリア間隔構成Δｆ２のリソースブロックを表す。各リソースブロックは自らのラスター上に位置合わせされる。それゆえ、各リソースブロックの第１のサブキャリアは、対応するサブキャリア間隔構成のラスター上にある。その際、リソースブロックの全てのサブキャリアが同じ端末に割り当てられる。割当てがコンパクトである場合には、Ｌ個の連続したリソースブロックが同じ端末に割り当てられ、すなわち、第１のリソースブロックの第１のサブキャリアから始まり、第Ｌのリソースブロックの最後のサブキャリアまでの全てのサブキャリアが、同じ端末に割り当てられる。
【００７３】
上記で言及されたのと同様に、ヌメロロジー間干渉を回避するために、異なるサブキャリア間隔構成の２つのサブキャリア間に、異なるサブキャリア間隔構成のリソースブロックに等しいガード帯域（図２Ｂ及び図２Ｃにおいて斜線エリアによって表される）が必要である。実際には、同じサブキャリア間隔構成の２つのサブキャリアは、直交性を順守するように離間され、すなわち、ｓｉｎｃ形状サブキャリアスペクトルは、同じサブキャリア間隔を有する他のサブキャリアの全ての位置においてゼロクロスを示す。これに反して、所与のサブキャリア間隔を有するサブキャリアのｓｉｎｃ形状スペクトルは、異なるサブキャリア間隔を有するサブキャリアの全ての位置においてはゼロクロスを示さず、ヌメロロジー間干渉を引き起こす。
【００７４】
このため、２つの異なるヌメロロジーの２つのリソースブロック間にガード帯域を含む必要がある。図２Ｂに示されるように、ガード帯域は、スケジューリングプロセスを通して、すなわち、ヌメロロジーが異なるときに、別のリソースブロックに隣接してリソースブロックを割り当てるのを回避することによって、含められる。Δｆ２のような高いサブキャリア間隔構成のリソースブロックを自らのラスター上に位置合わせしてスケジューリングするときに、ガード帯域を含むことによって、キャリア内で重大なリソース損失が生じる可能性がある。これは、図２Ｂにおいて、サブキャリア間隔構成Δｆ１の第３のスケジューリングされたリソースブロックとスケジューリングされたサブキャリア間隔構成Δｆ２の第１のリソースブロックとの間に課せられる間隙によって確認することができ、この間隙は、少なくとも、サブキャリア間隔構成Δｆ１のリソースブロックのサイズであり、この間隙を削減するためにスケジューリングすべきサブキャリア間隔構成Δｆ１のリソースブロックがそれ以上残されていない場合には、サブキャリア間隔構成Δｆ２のリソースブロックのサイズになる可能性さえもあり、それはヌメロロジー間干渉を回避するために必要な長さを超える。
【００７５】
簡単に示すために、図２Ｂ及び図２Ｃにおいて、各ヌメロロジーの全ての基準周波数が同じである事例のみが示される。
【００７６】
図２Ｃを参照すると、図２Ｂの例と同様に、いくつかのサブキャリア間隔構成が共存し、これらの異なるヌメロロジーのうちの３つからのリソースブロックがスケジューリングされるキャリアの部分が示される。図２Ｂとは対照的に、サブキャリア間隔構成の各リソース割当ての第１のサブキャリアは、自らのラスター上に位置合わせされる、同じサブキャリア間隔構成のリソースブロックの第１のサブキャリアとは異なることができる。これは、ガード帯域を柔軟に設定できるようにし、それにより、ヌメロロジー間干渉を防ぐために、無用に大きいガード帯域を回避できるようにする。実際には、図２Ｃにおいて、サブキャリア間隔構成Δｆ２のリソース割当ての第１のサブキャリア（すなわち、ＳＣｓｔａｒｔ）は、リソース割当ての第１のサブキャリアが属する、自らのラスター上に位置合わせされる、サブキャリア間隔構成Δｆ２の潜在リソースブロックの第１のサブキャリア（すなわち、ＳＣｆｉｒｓｔ）からＮ．Δｆ０にあるサブキャリア間隔構成Δｆ０のラスター上にある。したがって、上記潜在リソースブロックの第１のサブキャリアと、リソース割当ての第１のサブキャリアとの間にサブキャリア間隔構成Δｆ２のサブキャリアは割り当てられない。上記潜在リソースブロックの第４のサブキャリアと、後続のサブキャリアとのみが割り当てられる。このリソース割当ての後続のサブキャリアはそのラスターに対して割り当てられ、すなわち、そのようなリソース割当ての最後のサブキャリアは、サブキャリア間隔構成Δｆ２のリソースブロックの最後のサブキャリアである。
【００７７】
その状況は、サブキャリア間隔構成Δｆ２のリソース割当ての最後のサブキャリアと、サブキャリア間隔構成Δｆ１の後続のサブキャリアとの間も同様である。
【００７８】
より具体的には、サブキャリア間隔構成Δｆ２のサブキャリアのリソース割当ての第１のサブキャリアは、サブキャリア間隔構成Δｆ０のラスターに従ってもたらされる。これは、Ｎ．Δｆ２のスケールより柔軟である、Ｎ．Δｆ０のスケールでガード帯域のサイズを設定できるようにする。それゆえ、送信機は、Ｎ．Δｆ０、２．Ｎ．Δｆ０又は３．Ｎ．Δｆ０のガード帯域を決定することができる。ガード帯域が、例えば、ｋ．Ｎ．Δｆ０に設定されるとき、ｋ．Ｎ．Δｆ０においてサブキャリア間隔構成Δｆ２のサブキャリアが存在しない可能性があることに気づくことが重要であり、これは、Δｆ２＝ｑ２．Δｆ０等のｑ２がＮの除数でないときに当てはまる。この場合、リソース割当てのＳＣｓｔａｒｔは、ガード帯域後のサブキャリア間隔構成Δｆ２の第１のサブキャリアである。
【００７９】
そのようなリソース割当てを割り当てるために、送信機は、ガード帯域の終わりの周波数より低い周波数を有するサブキャリアを含むサブキャリア間隔構成Δｆ０のリソースブロックの数ＮＲＢｓｔａｒｔ（０）を規定する。さらに、送信機は数Ｌを規定し、Ｌ−１は、ＳＣｓｔａｒｔで開始する未完了のリソースブロックに隣接し、追加して割り当てられるサブキャリア間隔構成Δｆ２のリソースブロック（図２ＣのＬ（２））に対応する。
【００８０】
それゆえ、具体的なＲＩＶは、Ｌ及びＮＲＢｓｔａｒｔ（０）の関数として規定される。
【００８１】
例えば
【数２８】
2019527500.tif 000030
である。
ただし、ｒ２は、ＮＲＢ（０）をｑ２で割る除算の剰余である（図３の例において、ｑ２＝Δｆ２／Δｆ０＝４）。
【００８２】
図３Ａを参照すると、キャリア内のサブキャリア間隔構成のサブキャリアを送信機によって端末に割り当てるための、本発明の一態様によるステップを表すフローチャートが示される。
【００８３】
ステップＳ１１において、送信機は、端末に、キャリア帯域幅ＢＷと、サポートされるヌメロロジーに関する情報とを含む、セル設定に関するパラメーターを送信する。より具体的には、送信機は、端末に、端末が少なくとも以下のパラメーター：Δｆ０、Δｆ２、ＮＲＢ（０）を直接知ることができるか、又は推定できるようにする情報を送信する。
【００８４】
ステップＳ１２において、送信機は、端末に、割当てパラメーター、例えば、どのタイプのサブキャリア（リソースブロックのサブキャリア間隔構成）が端末に割り当てられることになるか、それゆえ、いくつかの組を取り得る場合には、ＲＩＶ値を復号するために式又はルックアップテーブルのどの組が必要になるかを端末が推定できるようにする指示を送信する。
【００８５】
ステップＳ１３において、送信機は、送信機が端末に割り当てる連続したサブキャリアを規定する。
【００８６】
ステップＳ１４において、送信機は、制御チャネルを通して、ＲＩＶ値を送信する。ＲＩＶ値は、送信機が端末に割り当てる連続したサブキャリアに基づいて、上記で言及されたＲＩＶ式で計算される。
【００８７】
図３Ｂを参照すると、端末に割り当てられたサブキャリアを端末によって規定するための、本発明の一態様によるステップを表すフローチャートが示される。
【００８８】
ステップＳ２１において、端末は、送信機から、帯域幅ＢＷと、サポートされるヌメロロジーに関する情報とを含む、セル設定に関するパラメーターを受信する。より具体的には、端末は、送信機から、端末が少なくとも以下のパラメーター：Δｆ０、Δｆ２、ＮＲＢ（０）を直接知ることができるか、又は推定できるようにする情報を受信する。
【００８９】
ステップＳ２２において、端末は、送信機から、割当てパラメーター、例えば、どのタイプのサブキャリア（リソースブロックのサブキャリア間隔構成）が端末に割り当てられることになるか、それゆえ、いくつかの組を取り得る場合には、ＲＩＶ値を復号するために式又はルックアップテーブルのどの組が必要になるかを端末が推定できるようにする指示を受信する。
【００９０】
ステップＳ２３において、端末は、送信機から、制御チャネルを通して、端末に割り当てられたサブキャリアに対応するＲＩＶ値を受信する。
【００９１】
ステップＳ２４において、ＮＲＢ（０）及びｑ２＝Δｆ２／Δｆ０＝４の知識に基づいて、端末が以下を計算する：
ｒ２、ＮＲＢ（０）を４で割る除算の剰余、及び、
【数２９】
2019527500.tif 000031
、及び、
そのＲＩＶ値の受信に基づいて、端末が以下を計算する：
【数３０】
2019527500.tif 000032
【００９２】
端末によって復号された値ＮＲＢｓｔａｒｔ（０）及びＬに基づいて、端末は、上記で示されたように、固有のｆｓｔａｒｔ及び固有のｆｌａｓｔを求めることができる。
【００９３】
当然、本発明は、上記で詳細に説明された実施形態の例には限定されず、更なる代替の実施形態も含む。
【００９４】
例えば、本発明は特定の帯域幅のキャリア帯域を参照するが、本発明は、キャリア帯域全体の所定の部分、より具体的には、自らのリソース割当て及び制御シグナリングが生じる可能性がある最大帯域であると端末によって見なされる所定の部分において実施することもできる。
【図１】
2019527500.tif 000040
【図２Ａ】
2019527500.tif 000041
【図２Ｂ】
2019527500.tif 000042
【図２Ｃ】
2019527500.tif 000043
【図３Ａ】
2019527500.tif 000044
【図３Ｂ】
2019527500.tif 000045
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
いくつかのサブキャリアを含む少なくとも１つのキャリアを含む電気通信システムにおいて端末にリソースを割り当てる方法であって、
該キャリアは、少なくとも１つのサブキャリア間隔構成Δｆ０と、１つのサブキャリア間隔構成Δｆ１とをサポートし、
Δｆ１＝ｑ．Δｆ０であり、ｑは、厳密に正の整数であり、
該方法は、
ａ）前記サブキャリア間隔構成Δｆ１を選択することと、
ｂ）前記サブキャリア間隔構成Δｆ１のサブキャリアを有するリソースブロックの数Ｌを求めることと、
ｃ）或る周波数を有する、サブキャリア間隔構成Δｆ１の前記キャリアの前記サブキャリアの中のサブキャリアを前記端末に割り当てることと、
を含み、
該周波数は、
ｆｒｅｆ＋ｍ．Ｎ．Δｆ１＋ｋ．Ｎ．Δｆ０以上の周波数を有するサブキャリア間隔構成Δｆ１のサブキャリアの周波数の中の最も低い周波数である周波数、すなわち、ｆｓｔａｒｔ以上であり、
ただし、ｆｒｅｆは、前記キャリア内のサブキャリア間隔Δｆ１のために許容可能である前記サブキャリアの中の最も低い周波数であり、
ｋは、１以上、（ｑ−１）以下の整数であり、
Ｎは、リソースブロック内のサブキャリアの数であり、
ｍは、０以上、サブキャリア間隔構成Δｆ１のサブキャリアを有する、前記キャリア内で許容可能な、リソースブロックの最大数未満の整数であり、
また、該周波数は、周波数ｆｒｅｆ＋ｍ．Ｎ．Δｆ１＋（Ｌ．Ｎ−１）．Δｆ１、すなわち、ｆｌａｓｔ以下である、
方法。
【請求項２】
ｍは、少なくともｆｒｅｆ＋ｍ．Ｎ．Δｆ１であり、多くてもｆｒｅｆ＋（ｍ＋１）．Ｎ．Δｆ１−Δｆ１である周波数を有するサブキャリア間隔構成Δｆ１の少なくとも１つのサブキャリアを前記端末に割り当てることができるように求められる、
請求項１に記載の方法。
【請求項３】
ｋは、ｆｓｔａｒｔ‐ｆｎｅａｒがＧより大きいように求められ、
Ｇは、厳密に正の閾値であり、ｆｎｅａｒは、Δｆ１とは異なるサブキャリア間隔構成を有するサブキャリアの周波数であり、
該サブキャリアは、Δｆ１とは異なるサブキャリア間隔構成を有し、ｆｒｅｆ＋（ｍ＋１）．Ｎ．Δｆ１より低い周波数を有する、前記キャリア内で割り当てられるサブキャリアの周波数の中の最も高い周波数を有する、
請求項１又は２に記載の方法。
【請求項４】
前記サブキャリア間隔構成Δｆ０は、前記キャリアによってサポートされる前記サブキャリア間隔構成の中の最も小さいサブキャリア間隔構成である、
請求項１〜３のいずれか一項に記載の方法。
【請求項５】
前記数Ｌ、Ｌ≧１は、
ｑ．Ｌ＋ＮＲＢｓｔａｒｔ（０）≦ＮＲＢ（０）を満たし、ただし、
ＮＲＢ（０）は、前記キャリア内で許容可能である前記サブキャリア間隔構成Δｆ０のＮ個のサブキャリアを含むリソースブロックの最大数であり、
ＮＲＢｓｔａｒｔ（０）は、前記キャリア内で許容可能である前記サブキャリア間隔構成Δｆ０のＮ個のサブキャリアを含むリソースブロックの最大数であり、前記リソースブロックは、前記周波数ｆｓｔａｒｔより低いサブキャリア周波数を有する、
請求項１〜４のいずれか一項に記載の方法。
【請求項６】
前記端末に割り当てられた前記サブキャリアに基づいて、前記端末に割当て情報を送信することを更に含む、
請求項５に記載の方法。
【請求項７】
前記端末に割り当てられた前記サブキャリアに基づく前記割当て情報は、リソース指示値ＲＩＶであり、該リソース指示値ＲＩＶは、整数であり、Ｌ及びＮＲＢｓｔａｒｔ（０）の関数である、
請求項６に記載の方法。
【請求項８】
前記ＲＩＶ関数は、Ｌ値及びＮＲＢｓｔａｒｔ（０）値を含む任意の１組の単射関数である、
請求項７に記載の方法。
【請求項９】
前記ＲＩＶは、０からＲＩＶによって取り込まれる最大値までの整数の中の全射関数である、
請求項７又は８に記載の方法。
【請求項１０】
前記ＲＩＶは、以下の式によって規定され、
【数１】
2019527500.tif 000046
ただし、
ｒ１は、ＮＲＢ（０）をｑで割る除算の剰余であり、
【数２】
2019527500.tif 000047
である、
請求項７〜９のいずれか一項に記載の方法。
【請求項１１】
前記ＲＩＶは、以下の式によって規定され、
【数３】
2019527500.tif 000048
ただし、
ｒ１は、ＮＲＢ（０）をｑで割る除算の剰余であり、
【数４】
2019527500.tif 000049
である、
請求項７〜９のいずれか一項に記載の方法。
【請求項１２】
前記ＲＩＶは、以下の式によって規定され、
【数５】
2019527500.tif 000050
ただし、
ｒ１は、ＮＲＢ（０）をｑで割る除算の剰余であり、
【数６】
2019527500.tif 000051
である、
請求項７〜９のいずれか一項に記載の方法。
【請求項１３】
前記ＲＩＶは、以下の式によって規定され、
【数７】
2019527500.tif 000052
ただし、
Ｓｌ＝ＮＲＢ（０）−ｑ＊ｌ＋１
である、
請求項７〜９のいずれか一項に記載の方法。
【請求項１４】
いくつかのサブキャリアを含む少なくとも１つのキャリアを含む電気通信システムにおいて端末にリソースを割り当てる手段を備える送信機であって、
該キャリアは、少なくとも１つのサブキャリア間隔構成Δｆ０と、１つのサブキャリア間隔構成Δｆ１とをサポートし、
Δｆ１＝ｑ．Δｆ０であり、ｑは、厳密に正の整数であり、
該送信機は、
ａ）前記サブキャリア間隔構成Δｆ１を選択することと、
ｂ）前記サブキャリア間隔構成Δｆ１のサブキャリアを有するリソースブロックの数Ｌを求めることと、
ｃ）或る周波数を有する、サブキャリア間隔構成Δｆ１の前記キャリアの前記サブキャリアの中のサブキャリアを前記端末に割り当てることと、
を実行するように構成され、
該周波数は、
ｆｒｅｆ＋ｍ．Ｎ．Δｆ１＋ｋ．Ｎ．Δｆ０以上の周波数を有するサブキャリア間隔構成Δｆ１のサブキャリアの周波数の中の最も低い周波数である周波数、すなわち、ｆｓｔａｒｔ以上であり、
ただし、ｆｒｅｆは前記キャリア内のサブキャリア間隔Δｆ１のために許容可能である前記サブキャリアの中の最も低い周波数であり、
ｋは、１以上、（ｑ−１）以下の整数であり、
Ｎは、リソースブロック内のサブキャリアの数であり、
ｍは、０以上、サブキャリア間隔構成Δｆ１のサブキャリアを有する、前記キャリア内で許容可能な、リソースブロックの最大数未満の整数であり、
また、該周波数は、周波数ｆｒｅｆ＋ｍ．Ｎ．Δｆ１＋（Ｌ．Ｎ−１）．Δｆ１、すなわち、ｆｌａｓｔ以下である、
送信機。
【請求項１５】
数ＮＲＢｓｔａｒｔ（０）及び前記Ｌの取り得る値の組ごとに、固有リソース指示値ＲＩＶを記憶するメモリユニットを備え、
ＮＲＢｓｔａｒｔ（０）は、前記キャリア内で許容可能である前記サブキャリア間隔構成Δｆ０のＮ個のサブキャリアを含むリソースブロックの最大数であり、該リソースブロックは、前記周波数ｆｓｔａｒｔより低いサブキャリア周波数を有し、
前記送信機は、
前記送信機によって実行されるサブキャリアの割当てに対応するＬ及びＮＲＢｓｔａｒｔ（０）の組に基づいて、ＲＩＶ値を与え、
前記ＲＩＶを前記端末に送信する、
ように更に構成される、
請求項１４に記載の送信機。
【請求項１６】
キャリア内で割り当てられたリソースを使用する手段を備える、電気通信システム内の端末であって、
該リソースは、請求項１〜１３のいずれか一項に従って割り当てられており、
制御チャネルを通して割当てリソースブロック情報を受信するように構成される通信モジュールと、
前記割当てリソースブロック情報に従って前記端末に割り当てられる前記サブキャリアを判断するように構成される処理モジュールと、
を備え、
前記処理モジュールは、前記端末に割り当てられるサブキャリア間隔構成Δｆ１の前記サブキャリアを、
ｆｓｔａｒｔ以上の周波数を有し、
ｆｌａｓｔ以下の周波数を有する、ものと判断するように構成される、
端末。
【請求項１７】
前記端末は、数ＮＲＢｓｔａｒｔ（０）及び前記Ｌの取り得る値の組ごとの固有リソース指示値ＲＩＶを記憶するメモリユニットを更に備え、
ＮＲＢｓｔａｒｔ（０）は、前記キャリア内で許容可能である前記第１のサブキャリア間隔構成Δｆ０のＮ個のサブキャリアを含むリソースブロックの最大数であり、該リソースブロックは、前記周波数ｆｓｔａｒｔより低いサブキャリア周波数を有し、
前記処理モジュールは、前記割当てリソースブロック情報内のＲＩＶ値を受信すると、前記メモリユニットを読み取り、前記値Ｌ及びＮＲＢｓｔａｒｔ（０）の１組を求め、ｆｓｔａｒｔ及びｆｌａｓｔを再生するように構成される、
請求項１６に記載の端末。
【請求項１８】
プロセッサによって実行されるときに、請求項１〜１３のいずれか一項に記載の方法を実行するコード命令を含む、
コンピュータープログラム製品。
【国際調査報告】
2019527500.tif 000053
2019527500.tif 000054
2019527500.tif 000055
2019527500.tif 000056